(57)【特許請求の範囲】
【請求項１】
金属製の踏み段を階段状に並べた踏み段群の両端を金属製のささら桁で挟んで、前記踏み段群と前記ささら桁とを共通する連結金物で固定してなり、以下のようにして、構成することを特徴とする組立鉄骨階段。
(1) 前記踏み段は、少なくとも１段分とし、踏板部の上段側の縁に上連結部を上方に向けて連設し、前記踏板部の下段側の縁に下連結部を下方に向けて連設する。
(2) 前記踏み段群は、上段に位置する踏み段の下連結部と、下段に位置する踏み段の上連結部とを重ねて構成し、前記上段側の下連結部と前記下段側の上連結部とに互いに連通する連結透孔を穿設する。
(3) 前記連結金物は、前記ささら桁に固定する第２片と前記踏み段に固定する第１片とから形成する。前記第１片の基端と前記第２片の基端とを略直角に連結し、連結した前記基端を直角端とする。
(4) 前記連結金物の第２片と前記ささら桁とを固定棒材で接合し、前記連結金物の第１片の透孔を前記連結透孔に連通させて、固定棒材で接合する。
【請求項２】
踏段の左右両端縁から連結透孔までの距離をＬ０として、連結金物の直角端から透孔までの距離をＬ０としたことを特徴とする請求項１記載の組立鉄骨階段。
【請求項３】
以下のように構成したことを特徴とする請求項１記載の組立鉄骨階段。
(1) 踏み段群は、上段に位置する踏み段の下連結部の下側にのみ、下段に位置する踏み段の上連結部を重ねて構成し、
(2) 踏み段の下連結部の上側に、前記下段に位置する踏み段の上連結部が重ならない部分を形成し、該重ならない部分に、第２の連結透孔を穿設した。
【発明の詳細な説明】
【技術分野】
【０００１】
本発明は、踏板、ささら桁のいずれも少ない加工で簡易な構造として、かつ溶接を使用せずに組立でき、さらに安定歩行できる組立鉄骨階段に関する。
【背景技術】
【０００２】
鋼板からなる段板をささら桁に階段状に取り付ける構造はいくつか提案されている。例えば、特許文献１では、受け板部２３Ａの両端部に下方に向けた側板部２３Ｂ、２３Ｂを設けて、歩行者が足を乗せる受具（段板）２３を形成する。受具２３の側板部２３Ｂを、桁フレーム（ささら桁）２０の外側に当てて、リベットで固定する構造が記載されている（図４）。この場合、上下に位置する受具２３、２３は固定されていなかった。
【０００３】
また、特許文献２では、上下フランジを取り付けた連結部材を固定して連結部材１を形成し、踏板１６の両側に連結部材１、１を溶接して、踏段ユニット（段板）２０を構成していた。この場合、踏み段ユニット２０、２０上下に階段状にずらして配置して、上下の連結部材１、１で、重ねた上下フランジをボルトで止めて、階段を構成していた（図１〜図６）。この踏み段ユニット、ささら桁を不要として、一部の踏み段ユニットのみを取り外せるので、修理やリフォームに最適な階段となっていた。
【０００４】
また、特許文献３では、側桁（ささら桁）１に取付用の透孔を有する段板取付部材３、３を溶接して、各段板部材２、２を段板取付部材３、３に固定していた。また、上下に配置した段板部材２、２は上連結部２ｃと下連結部２ｄとの透孔を重ねて、ボルトで固定していた（図１、図２）。あるいは、段板取付部材３を省略して、側桁１の上縁に、透孔を開けたフランジ２１ａを形成して、同様に各段板部材２、２を取り付けていた（図４、図５）。
【先行技術文献】
【特許文献】
【０００５】
【特許文献１】特開２００１−１４０４３２号公報
【特許文献２】特開２００４−２７０１８７号公報
【特許文献３】特開２００５−２１３８９６号公報
【発明の概要】
【発明が解決しようとする課題】
【０００６】
前記従来の技術では、特許文献１では、上下の踏み段を固定しないので、安定して歩行するためには、材厚を相当厚くするか、溶接などを併用するリブなどを形成する必要があり、踏み段の構造が複雑化する問題点があった。また、特許文献２では、ささら桁は不要であり、設定した効果は有するが、連結部材の構造が複雑化する問題点があった。また、特許文献３では、側桁に上に向けた透孔を必要とするので、側桁の加工が必要でとなる問題点があった。また、各特許文献１，３で、ささら桁と段板の固定と、段板同士の固定が別作業となり、それが各部材の構造の複雑化することとなっていた。また、特許文献２では連結部材がささら桁を兼ねることなり、構造の複雑化を招いていた。
【課題を解決するための手段】
【０００７】
このような中で、本発明は、上下に位置する踏み段で、上連結部と下連結部とを重ねて、直角端を有する連結金物の第１片で固定すると共に、連結金物の第２片をささら桁に固定したので、連結金物を共通化して、前記問題点を解決した。
【０００８】
即ちこの発明は、金属製の踏み段を階段状に並べた踏み段群の両端を金属製のささら桁で挟んで、前記踏み段群と前記ささら桁とを共通する連結金物で固定してなり、以下のようにして、構成することを特徴とする組立鉄骨階段である。
(1) 前記踏み段は、少なくとも１段分とし、踏板部の上段側の縁に上連結部を上方に向けて連設し、前記踏板部の下段側の縁に下連結部を下方に向けて連設する。
(2) 前記踏み段群は、上段に位置する踏み段の下連結部と、下段に位置する踏み段の上連結部とを重ねて構成し、前記上段側の下連結部と前記下段側の上連結部とに互いに連通する連結透孔を穿設する。
(3) 前記連結金物は、前記ささら桁に固定する第２片と前記踏み段に固定する第１片とから形成する。前記第１片の基端と前記第２片の基端とを略直角に連結し、連結した前記基端を直角端とする。
(4) 前記連結金物の第２片と前記ささら桁とを固定棒材で接合し、前記連結金物の第１片の透孔を前記連結透孔に連通させて、固定棒材で接合する。
【０００９】
また、前記において、踏段の左右両端縁から連結透孔までの距離をＬ０として、連結金物の直角端から透孔までの距離をＬ０としたことを特徴とする組立鉄骨階段である。
さらに、以下のように構成したことを特徴とする組立鉄骨階段である。
(1) 踏み段群は、上段に位置する踏み段の下連結部の下側にのみ、下段に位置する踏み段の上連結部を重ねて構成し、
(2) 踏み段の下連結部の上側に、前記下段に位置する踏み段の上連結部が重ならない部分を形成し、該重ならない部分に、第２の連結透孔を穿設した。
【００１０】
前記における固定棒材は、接合用の軸を有する接合材料の総称で、ボルトやピン等を含む概念である。
【００１１】
また、前記における「踏板部の上段側」「踏板部の下段側」とは、踏み段が１段の場合には、その踏板を指し、踏み段が複数団の場合には「最上段の踏板部の上段側」「最下段の踏板部の下段側」を指す。
【発明の効果】
【００１２】
上下に位置する踏み段で、上連結部と下連結部とを重ねて、直角端を有する連結金物の第１片で固定すると共に、連結金物の第２片をささら桁に固定したので、溶接作業を不要にして、連結金物を共通化して、組立作業を効率化できる。また、踏み段相互の固定、各踏み段とささら桁の固定の手順を任意に選択できるので、「先に踏み段を組み立てた後にささら桁と固定する」「各踏み段を連結しつつささら桁に固定する」等、現場の状況に応じて任意の組立方法を選択できる。
【００１３】
このように、溶接をしないことで、各踏み段を予めメッキ処理をすることができ、１〜２段分の踏み段のメッキ処理であれば、メッキ槽も小さな容量でかつ１度漬けで済み、各部材の製造を効率化できる。また、溶接を使わなければ、罫書き作業も不要で、溶接熱による歪みの発生を防止できる。
【図面の簡単な説明】
【００１４】
【図１】図１はこの発明の鉄骨階段の実施例の縦断面図である。
【図２】図２はこの発明の実施に使用する踏み段で、（ａ）は側面図、（ｂ）は正面図、（ｃ）は平面図である。
【図３】図３はこの発明の実施に使用する連結金物で、（ａ）は正面図、（ｂ）は左側面図、（ｃ）はＡ−Ａ断面図である。
【図４】図４は、この発明の鉄骨階段の階段部の一部拡大側面図である。
【図５】図５は、この発明の鉄骨階段の階段部の一部拡大正面図である。
【図６】図６は、この発明の鉄骨階段の上下踊り場部分の一部拡大側図である。
【図７】図７は、この発明の鉄骨階段の踊り場部分で、（ａ）は一部拡大正面図、（ｂ）は一部拡大平面図、（ｃ）は連結部分の拡大図である。
【図８】図８は、この発明の鉄骨階段の踊り場部分の端部で、（ａ）は一部拡大平面図、（ｂ）は側面図である。
【発明を実施するための形態】
【００１５】
（１）  鉄骨階段５１は、１段分の踏み段１０、１０を上下に階段状に重ねて互いに連結金物１で連結と共に、ささら桁４７、４７に連結金物１で固定して、構成する（図１）。
【００１６】
（２）  連結金物１は、透孔３を有する第１片１Ａと透孔３を有する第２片１Ｂとを直角端２で直角に連設して、L字状に構成する。直角端２から各透孔３までの距離はＬ０とする。
【００１７】
（３）  踏み段１０は、水平の踏板１１の上下端に上連結部１５、下連結部２１を夫々連設して構成する。踏み段１０は、階段状に上下に配置して、上連結部１５の上端部と下連結部の下端部を連結して、鉄骨階段５０の階段部５１を構成する。重ねた上下連結部１５、２１から蹴込み部５２を構成する。  
上連結部１５の巾方向で端縁１７、１７付近に連結透孔１９、１９が穿設され、下連結部２１の巾方向の端縁付近に連結透孔２５、２５が穿設されている。連結透孔１９は巾方向の端縁１７、１７から長さＬ０だけ内側に、連結透孔２５、２５は巾方向の端縁２３、２３から長さＬ０だけ内側に形成する。  
踏み段１０は、「下連結板２１、踏板１１、上連結板１５」が一体の横略Z字状に、１段分で構成する。踏み段１０は、強度、材厚、設計、組立効率等から１段分が適するが、他の条件が適すれば、「下連結板２１、踏板１１、蹴込み部５２（上下連結部１５、２１）、踏板１１、上連結板１５」が連続する２段分や３段分以上から構成することもできる（図示していない）。
【００１８】
（４）  踏み段１０、１０を階段状に上下に並べ、当接した下連結部２１と上連結部１５で、連通した連結透孔２５、１９に連結金物１の第１片１Ａを重ねて、更に透孔３を連通させて、連結透孔２５、１９、透孔３にピン５５を打ち、下連結部２１と上連結部孔１５と第１片１Ａとを一体に固定する。この際、連結金物１の第２片１Ｂがささら桁４７側に向き、第２片の透孔３とささら桁４７の透孔４８とが連通するので、同様に、ボルト５６を挿入してナット５７を螺合して固定する（図４、５）。
【実施例１】
【００１９】
図面に基づいて、この発明の実施例を説明する。
【００２０】
［１］連結金物１
【００２１】
連結金物１は、長方形の先端を半円形とした第１片１Ａ、第２片１Ｂの基端側を直角に連設して一体に構成する。両基端の連結端部（外側）を直角端２とする。第１片１Ａに、直角端２から距離Ｌ０の位置に透孔３を穿設し、第２片１Ｂも同様に、直角端２から距離Ｌ０の位置に透孔３を穿設する。透孔３は、半円に形成した先端側の半円の中心又は中心付近に位置させる。
【００２２】
［２］踏み段（通常）１０
【００２３】
踏み段１０は、水平又は略水平に配置した踏板１１の上段側（方向方向）の縁１２に上連結部１５を連設し、下段側（歩行方向）の縁１２ａに下連結部２１を連設して、横略Ｚ型に形成する（図２（ａ））。上連結部１５は先端１６（上端側）を踏板１１の上面１３側（下段側）に向けるように傾斜し、下連結部２１は先端２２（下端側）を踏板１１の下面１３ａ側（上段側）に向けるように傾斜して構成する。また、下連結部１５と上連結部２１とは平行又は略平行に形成される。
【００２４】
踏み段１０を上下に（階段状に）重ねた際に、上側の踏み段１０の下連結部２１と下側の踏み段１０の上連結部１５とが重なり、蹴上げ部５２を形成する。下連結部２１の高さＬ２は蹴上げ部５２の高さＬ３より若干短めに形成し、上連結部１５の高さＬ１は蹴上げ部高さＬ３の「３分の１」〜「２分の１」程度を締めるように形成する（図４参照）。
【００２５】
上連結部１５の上縁部で、巾方向（左右方向。歩行方向と直交する方向）の端縁１７、１７に連結透孔１９、１９を穿設する。連結透孔１９は端縁１７から巾方向で長さＬ０だけ内側の位置に形成する。
【００２６】
また、下連結部２１の先端部（下端部）で、踏み段１０、１０を階段状に重ねた際に上連結部１５の連結透孔１９と重なる位置に、連結透孔２５、２５を穿設する。従って、連結透孔２５、２５は、連結透孔１９と同様に、巾方向（左右方向。歩行方向と直交する方向）の端縁２３、２３から長さＬ０だけ内側の位置に形成される。
【００２７】
また、下連結部２１の基端部（上端部）に（連結透孔２５の上方に）、同様に、連結透孔２６、２６を穿設する。連結透孔２６は連結透孔２５と同様に、端縁２３、２３から巾方向で長さＬ０だけ内側の位置に形成される。連結透孔２６、２６は、踏み段１０同士の連結には使用せず、踏み段１０とささら桁４７との連結にのみ使用される。
【００２８】
下連結部２１、踏板１１及び上連結部１５は板材を屈曲して一体に形成される。踏み段１０、１０Ａ、１０Ｂは主に縞鋼板（チェッカープレート）を使用するが、材質は任意である。後述する踊り場部材４０の材質も同様である。
【００２９】
［３］踏み段（最上）１０Ａ、踏み段（最下）１０Ｂ
【００３０】
最上段に位置する踏み段１０Ａは、上段側に踊り場部材４０が連結される部材である。最上段に位置する踏み段１０Ａは、踏板１１の下段側の端縁１２ａ側には踏み段１０と同様に、斜めに下連結部２１を形成し、踏板１１の上段側の端縁１２には、下方に向けた連結リブ３１を形成する（図６）。下連結部２１、踏板１１及び連結リブ３１は板材を屈曲して一体に形成される。連結リブ３１は踏板１１と直角又は略直角に形成される。連結リブの、巾方向の端縁３２、３２（左右両端縁）で、端縁３２から巾方向で長さＬ０内側の位置に、連結透孔３３、３３を穿設する。
【００３１】
また、最下段位置する踏み段１０Ｂは、下段側に踊り場部材４０が連結される部材である。最下段位置する踏み段１０Ｂは、踏板１１の上段側の端縁１２には踏み段１０と同様に、斜めに上連結部１５を形成し、踏板１１の下段側の端縁１２ａには、下方に向けた連結リブ３１を形成する（図６）。連結リブ３１は踏板１１と直角又は略直角に形成される。連結リブ３１、踏板１１及び上連結部１５は板材を屈曲して一体に形成される。連結リブ３１の巾方向の端縁３２、３２（左右両端縁）で、端縁３２から巾方向で長さＬ０内側の位置に、連結透孔３３、３３を穿設する。
【００３２】
［４］踊り場部材４０
【００３３】
踊り場部材４０は、踏板１１と同様の水平板４１の上段（歩行方向）側の縁、下段（歩行方向）側の縁に、下方に向けた連結リブ４３、４３を形成する。連結リブ４３は連結リブ２１と同様の構造で、連結リブ４３の、巾方向の端縁（左右両端縁）４４、４４で、端縁４４から巾方向で長さＬ０内側の位置に、連結透孔４５、４５を穿設する。連結リブ４３、水平板４１及び連結リブ４３は板材を屈曲して一体に形成される。水平板４１の歩行方向の長さは任意である。
【００３４】
［５］ささら桁４７
【００３５】
ささら桁４１には、通常のささら桁と同様の形状で、踏み段１０、１０Ａ、１０Ｂ、踊り場部材４０、４０の巾方向の端縁を当接して固定できる構造であり、踏み段１０、１０Ａ、１０Ｂ、踊り場部材４０、４０に固定した連結金物１の第２片１Ｂの透孔３、３の位置に合わせて、予め透孔４８、４８が穿設されている。
【００３６】
［６］鉄骨階段５０の組立
【００３７】
（１）  各踏み段１０、１０Ａの下連結部２１の上側の連結透孔２６、２６に、連結金物１の第１片１Ａを添えて、連通した透孔３、２６にピン５５を挿入して、踏み段１０、１０Ａに連結金物１を固定する。連結金物１の第２片１Ｂはささら桁４７側を向いている。
【００３８】
（２）  続いて、最上段の踏み段１０Ａをささら桁４７に配置して、連結金物１の第２片１Ｂの透孔３とささら桁４７の透孔４８とを連通させ、ボルト５６を連結金物１の透孔３から挿入して、ナット５７を螺合して仮止めする（図６）。
【００３９】
（３）  踏み段１０Ａに、下方に向けて踏み段１０、１０を、階段状に並べて、上段の踏み段１０Ａ、１０の下連結部２１と下段側の上連結部１５とを重ねながら配置し、同様に連結金物１の第２片１Ｂの透孔３とささら桁４７の透孔４８とを連通させ、ボルト５６を連結金物１の透孔３側から挿入してナット５７を螺合して仮止めする。この際、上側の踏み段の下連結部の裏側（歩行面の反対側）に、下側の踏み段の上連結部の表面側が当接する（図６）。
【００４０】
（４）  続いて、当接した下連結部２１と上連結部１５で、連通した連結透孔２５、１９に連結金物１の第１片１Ａを重ねて、更に透孔３を連通させて、連結透孔２５、１９、透孔３にピン５５を打ち、下連結部２１と上連結部孔１５と第１片１Ａとを一体に固定する。この際、連結金物１の第２片１Ｂが同様にささら桁４７側に向き、連通した第２片の透孔３とささら桁４７の透孔４８とに同様に、ボルト５６を挿入してナット５７を螺合して仮止めする（図４、５）。  
この際、連結金物１の直角端２がささら桁４７の表面と上連結部１５の端縁１７（下連結部２１の端縁２３）との境界に位置するので、ささら桁４７と踏み段１０との当接部の直角を保った状態で、保持できる。
【００４１】
（５）  以下、同様に踏み段１０、１０、１０Ｂを取り付け、最下段の踏み段１０Ｂの上連結部１５を上段側の踏み段１０の下連結部２１にピン５５で固定する（図６）。
【００４２】
（６）  続いて、上段側で、最上段の踏み段１０Ａの連結リブ３１に続き、踊り場部材４０、４０を並べる。連結リブ３１と踊り場部材４０の連結リブ４３を重ね、また、踊り場部材４０の連結リブ４３、４３同士を重ねる。重ねた連結リブ３１、４３の両側に連結金物１、１を配置して、第１片１Ａ、第１片１Ａ、で挟む。続いて、第１片１Ａの透孔３、連結リブ３１の連結透孔３３、連結リブ４３の連結透孔４５を連通させて、ピン５５を打ち、第２片１Ｂ、連結リブ３１（連結リブ４３）、連結リブ４３及び第２片１Ｂを固定する。  
この際、各連結金物１の第２片１Ｂ、１Ｂは、同様にささら桁４７側を向いているので、連通した第２片１Ｂの透孔３とささら桁４７の透孔４８とにボルト５６を連通して、ナット５７を螺号して仮止めする。
【００４３】
（７）  また、下段側で、同様に、最下段の踏み段１０Ｂの連結リブ３１に続き、踊り場部材４０、４０を並べて、連結リブ３１（４３）、４３を重ね、重ねた連結リブ３１（４３）、４３の両側を、連結金物１、１の第１片１Ａで挟む。続いて、第１片１Ａ、連結リブ３１（４３）、連結リブ４３で、連通した連結透孔３３、４５、透孔３にピン５５を打ち、第１片１Ａ、連結リブ３１（４３）、連結リブ４３及び第１片１Ａを固定する。  
この際、各連結金物１の第２片１Ｂ、１Ｂは、同様にささら桁４７側を向いているので、連通した第２片１Ｂの透孔３とささら桁４７の透孔４８とにボルト５６を連通して、ナット５７を螺号して仮止めする。
【００４４】
（８）  仮止めしたボルト５６、ナット５７を本締めして、鉄骨階段５０を構成する。踏み段１０Ａ、１０、１０Ｂが連続した部分を階段部５１、踊り場部材４０、４０が連続した部分を踊り場５３、とする（図１）。
【００４５】
（９）  前記組立において、踊り場部材４０、４０は、重ねた連結リブ４３、４３の両側から連結金物１、１の第１片１Ａ、１Ａを挟んで、第２片１Ｂ、１Ｂをささら桁４７と連結した（第１方法）が、踊り場部材４０の水平板４１に端縁４１ａ、４１ａから巾方向でＬ０内側の位置に連結透孔４２、４２を穿設して、水平板４１の下面に連結金物１の第１片１Ａを連結して、第２片１Ｂをささら桁４７に連結して固定することもできる（第２方法。図８）。第２方法は、取り分け端部の踊り場部材４０に最適であるが、第１方法と第２方法の単独又は適宜組み合わせて使用するなど任意である。
【００４６】
また、前記組立において、階段部５１をささら桁４７に固定して、次ぎに上下踊り場５３、５３を組み立てたが、順序は任意である。
【００４７】
また、前記階段部５１の組立において、各踏み段１０、１０Ａの下連結部２１の連結透孔２６に連結金物１を固定して、踏み段１０、１０Ａを重ねながら、先ず個々の踏み段１０、１０Ａをささら桁４７に固定して、上下の踏み段１０、１０Ａ同士の固定作業は後から行ったが、上下の踏み段１０、１０Ａを重ねて連結金物１の第１片１Ａを重ねながら同時に、連結金物１の第２片１Ｂをささら桁４７に固定することもできる。
【００４８】
また、前記組立において、踏み段１０、１０Ａ、１０Ｂ、踊り場部材４０を組み立てた後に（階段部５１及び上下踊り場５３、５３を形成した後に）、これらをささら桁４７、４７挟み固定して、鉄骨階段５０を構成することもできる。
【００４９】
また、前記組立において、踏み段１０、１０Ａ、１０Ｂ同士の連結及び連結金物１の第１片１Ａとの連結にピン５５を使用し、連結金物１の第２片１Ｂとささら桁４７との連結をボルト５６・ナット５７を使用したが、連結の手段は任意である（図示していない）。
【００５０】
このように、この発明の踏み段１０、連結金物１を使用した鉄骨階段５０では、溶接作業を無くして、現場の状況に応じて様々な工程を採用して組立をすることができる。
【００５１】
［７］他の実施例（構造のバリエーション）
【００５２】
（１） 前記実施例において、上連結部１５を短くＬ１で形成して、上下に位置する踏み段１０、１０で下連結部２１の下側にのみ上連結部１５を重ねたが（図４）、上連結部１５の高さを下連結部２１と同様の高さＬ２として、上連結部１５と下連結部２１の全体を重ねて階段部５１を構成することもできる（図示していない）。
【００５３】
（２）  また、前記実施例において、踏み段１０、１０Ａ、１０Ｂの巾が長い場合には、上連結部１５と下連結部２１の中間部（階段巾方向）にも連通する連結透孔１９ａ、２６ａを穿設することもできる（図２（ｂ）鎖線図示）。この場合には、連通した連結透孔１９ａ、２６ａに同様に、ピン５５を打って、上連結部１５と下連結部２１とを固定して、補強できる。なお、この場合、裏側から連結金物１の第１片１Ａを重ねて、固定することもできるが（図示していない）、連結金物１の第２片１Ｂはささら桁４７には当接しない。
【００５４】
（３）  また、前記実施例において、踏み段１０の下連結部２１の上側（踏板１１側）、即ち他の踏み段１０の上連結部１５と重ならない位置に、連結透孔２６を形成したので、踏み段１０を単独でささら桁４７に固定できるが、連結透孔２６を省略することもできる（図示していない）。
【００５５】
（４）  また、前記実施例において、各連結透孔１９、２５、２６、３３、４２、４５を巾方向の端縁からＬ０で形成したので、共通する連結金物１を使用して効率良い組立ができるが、一部の連結透孔の位置を変更することもできる（図示していない）。
【００５６】
（５）  また、前記実施例において、一般にささら桁５５との固定し使用するボルト５６の径が、踏み段１０同士の固定に使用するピン５５より径が大きいので、
第１片１Ａ（踏み段１０同士固定用）の透孔３の径
＜第２片１Ｂ（ささら桁４７当接用）の透孔３の径
としてある（図３）。このように、形成した場合、第１片１Ａと第２片１Ｂとの使用箇所が区別されるので、第２片１Ｂで直角端２から透孔３までの距離Ｌ０は、任意とすることもできる（図示していない）。また、この場合、第１片１Ａと第２片１Ｂの先端部の形状を異なる形状として（例えば、第１片１Ａを現状の半円で、第２片１Ｂを長方形等）触って区別できるものとすることもできる（図示していない）。
【００５７】
（６）  また、前記実施例において、踏み段の上連結部１５、下連結部２１、踊り場部材４０の連結リブ４３などを重ねる面に、ゴム板等の振動を遮断又は吸収する部材を介装することもできる。また、同様に、連結金物１とのボルト５６やピン５５を使用する位置で、当接部分に同様のゴム製のワッシャー等を使用することもできる。このように処理することにより、振動（音）が各接合部分で吸収され、減衰できるので、好ましい。
【符号の説明】
【００５８】
１    連結金物
１Ａ  連結金物の第１片
１Ｂ  連結金物の第２片
２    連結金物の直角端
３    連結金物の透孔
１０    踏み段
１０Ａ  踏み段（最上段）
１０Ｂ  踏み段（最下段）
１１    踏板
１２、１３    踏板の歩行方向の端
１５    上連結部
１６    上連結部の上端（先端）
１７    上連結部の巾方向の端
１９    上連結部の連結透孔
２１    下連結部
２２    下連結部の下端（先端）
２３    下連結部の巾方向の端
２５    下連結部の連結透孔（下）
２６    下連結部の連結透孔（上）  
３１    連結リブ
３２    連結リブの巾方向の端
３３    連結リブの連結透孔
４０    踊り場部材
４１    踊り場部材の水平板
４１ａ  水平板の巾方向の端
４２    水平板の連結透孔
４３    踊り場部材の連結リブ
４４    連結リブの巾方向の端
４５    連結リブの連結透孔
４７    ささら桁
４８    ささら桁の透孔
５０    鉄骨階段
５１    鉄骨階段の階段部
５２    鉄骨階段の階段部の蹴込み部
５３    鉄骨階段の踊り場
５５    ピン
５６    ボルト
５７    ナット
【図１】
0005506330.tif 000002
【図２】
0005506330.tif 000003
【図３】
0005506330.tif 000004
【図４】
0005506330.tif 000005
【図５】
0005506330.tif 000006
【図６】
0005506330.tif 000007
【図７】
0005506330.tif 000008
【図８】
0005506330.tif 000009